(57)【要約】【課題】無線タグから情報読み取りを行うだけで、自動的に、所望の情報提供サイトの情報を表示手段に表示させる。【解決手段】情報表示システム１は、所定のニュースサイトに関わるＲＳＳデータのＵＲＬとニュースサイトで提供されるサイト情報の表示を行うためのウィジェットプログラムと表示処理に関する表示パラメータとをＩＣ回路部１５０に記憶保持したタグカードＴと、タグカードＴと無線通信を行うためのリーダアンテナ２１０とを有し、ＩＣ回路部１５０から、ＵＲＬ、ウィジェットプログラム、及び表示パラメータを取得し、ＵＲＬより取得したＲＳＳデータに基づくニュースサイトのサイト情報を取得し、ウィジェットプログラムを用いて、ニュースサイトからのサイト情報を、表示パラメータで指示された表示態様にて表示部１０１に表示させる。【選択図】図５
2009146163.tif 000002
【特許請求の範囲】
【請求項１】
情報を記憶可能なＩＣ回路部とこのＩＣ回路部に接続されるタグアンテナとを備えた無線タグ回路素子を有し、前記ＩＣ回路部に、所定の情報提供サイトに関わるＲＳＳデータの格納先情報と、前記情報提供サイトで提供される情報に関し所定の表示処理を行うためのウィジェットプログラムと、前記ウィジェットプログラムにより行う前記表示処理に関する表示指示情報とを記憶保持したウィジェット表示用無線タグと、
前記ウィジェット表示用無線タグと無線通信を行うためのアンテナ手段と、
前記アンテナ手段を介し、前記ウィジェット表示用無線タグの前記ＩＣ回路部から、前記格納先情報、前記ウィジェットプログラム、及び前記表示指示情報を取得するタグ読み取り手段と、
前記タグ読み取り手段で取得した前記格納先情報より前記ＲＳＳデータを取得し、その取得した前記ＲＳＳデータに基づく、前記情報提供サイトで提供される情報を取得する第１情報取得手段と、
前記タグ読み取り手段で取得した前記ウィジェットプログラムを用いて、前記第１情報取得手段で取得した前記情報提供サイトからの情報を、前記タグ読み取り手段で取得した前記表示指示情報で指示された表示態様にて表示手段に表示させるための表示処理手段と
を有することを特徴とする情報表示システム。
【請求項２】
前記第１情報取得手段は、
前記タグ読み取り手段で取得した前記格納先情報より前記ＲＳＳデータを取得し、その取得した前記ＲＳＳデータに基づき前記情報提供サイトにアクセスし、前記情報提供サイトで提供される情報を取得する
ことを特徴とする請求項１記載の情報表示システム。
【請求項３】
前記表示処理手段は、
前記表示指示情報での指示に応じ、複数種類の異なる表示態様にて表示するように、前記表示手段を制御する
ことを特徴とする請求項１又は請求項２記載の情報表示システム。
【請求項４】
前記ウィジェット表示用無線タグは、
１つ以上の前記情報提供サイトに関わる１つ以上の前記ＲＳＳデータの格納先情報を前記ＩＣ回路部に記憶しており、
前記第１情報取得手段は、
前記タグ読み取り手段で取得した前記１つ以上の格納先情報より前記ＲＳＳデータを取得し、その取得した前記ＲＳＳデータに基づき１つ以上の前記情報提供サイトにアクセスし、各情報提供サイトで提供される情報をそれぞれ取得する
ことを特徴とする請求項３記載の情報表示システム。
【請求項５】
前記ウィジェット表示用無線タグは、
１つ以上の前記ウィジェットプログラムを前記ＩＣ回路部に記憶しており、
前記表示処理手段は、
前記タグ読み取り手段で取得した前記１つ以上のウィジェットプログラムを用いて、前記第１情報取得手段でそれぞれ取得した１つ以上の前記情報提供サイトからの情報を、前記表示手段に表示させる
ことを特徴とする請求項４記載の情報表示システム。
【請求項６】
前記表示処理手段は、
前記１つ以上の情報提供サイトのそれぞれと前記１つ以上のウィジェットプログラムのそれぞれとを対応付け、各情報提供サイトからの情報を対応する前記ウィジェットプログラムを用いて前記表示手段に表示させる
ことを特徴とする請求項５記載の情報表示システム。
【請求項７】
前記ウィジェット表示用無線タグは、
１種類以上の前記表示態様を含む前記表示指示情報を前記ＩＣ回路部に記憶しており、
前記表示処理手段は、
前記１つ以上の情報提供サイトのそれぞれと前記１つ以上のウィジェットプログラムのそれぞれと前記１種類以上の表示態様とを対応付け、各情報提供サイトからの情報を、対応する前記ウィジェットプログラムを用いて対応する表示態様にて前記表示手段に表示させる
ことを特徴とする請求項６記載の情報表示システム。
【請求項８】
前記ウィジェット表示用無線タグは、
前記表示指示情報として、少なくとも、前記表示手段における表示部位を指定する表示位置情報を前記ＩＣ回路部に記憶しており、
前記表示処理手段は、
前記情報提供サイトからの情報を、前記表示位置情報で指定された表示部位に表示するよう、前記表示手段を制御する
ことを特徴とする請求項４乃至請求項７のいずれか１項記載の情報表示システム。
【請求項９】
前記第１情報取得手段は、
前記情報提供サイトからの情報と併せて、当該情報の更新情報を取得し、
前記表示処理手段は、
前記情報提供サイトからの情報と併せて、対応する前記更新情報を表示するよう、前記表示手段を制御する
ことを特徴とする請求項４乃至請求項８のいずれか１項記載の情報表示システム。
【請求項１０】
ウィジェット表示用無線タグから無線通信を介し取得された、所定の情報提供サイトに関わるＲＳＳデータの格納先情報に基づき、前記ＲＳＳデータにアクセスし、対応する前記情報提供サイトの格納先情報を取得するＲＳＳデータ取得手段と、
前記ＲＳＳデータ取得手段で取得した前記情報提供サイトの前記格納先情報に基づき前記情報提供サイトにアクセスし、前記情報提供サイトで提供される情報を取得する第２情報取得手段と、
前記ウィジェット表示用無線タグから無線通信を介し取得されたウィジェットプログラムを用いて、前記第２情報取得手段で取得した前記情報提供サイトからの情報を、前記ウィジェット表示用無線タグから無線通信を介し取得された表示指示情報で指示された表示態様にて表示する表示手段と
を有することを特徴とする情報表示装置。
【請求項１１】
前記ＲＳＳデータ取得手段は、
前記ウィジェット表示用無線タグから取得した、１つ以上の前記情報提供サイトに関わる１つ以上の前記ＲＳＳデータの格納先情報に基づき、１つ以上の前記ＲＳＳデータにそれぞれアクセスし、対応する１つ以上の前記情報提供サイトの格納先情報をそれぞれ取得し、
前記第２情報取得手段は、
前記ＲＳＳデータ取得手段で格納先情報をそれぞれ取得した前記１つ以上の情報提供サイトにアクセスし、各情報提供サイトで提供される情報をそれぞれ取得する
ことを特徴とする請求項１０記載の情報表示装置。
【請求項１２】
前記表示手段は、
前記ウィジェット表示用無線タグから取得された前記１つ以上の前記ウィジェットプログラムを用いて、前記第２情報取得手段でそれぞれ取得した前記１つ以上の前記情報提供サイトからの情報を、表示する
ことを特徴とする請求項１１記載の情報表示装置。
【請求項１３】
前記表示手段は、
前記１つ以上の前記情報提供サイトのそれぞれと前記１つ以上ウィジェットプログラムのそれぞれとを対応付け、各情報提供サイトからの情報を対応する前記ウィジェットプログラムを用いて表示する
ことを特徴とする請求項１２記載の情報表示装置。
【請求項１４】
前記表示手段は、
前記１つ以上の情報提供サイトのそれぞれと、前記１つ以上のウィジェットプログラムのそれぞれと、前記表示指示情報での指示に含まれる１種類以上の前記表示態様とを対応付け、各情報提供サイトからの情報を、対応する前記ウィジェットプログラムを用いて対応する表示態様にて表示する
ことを特徴とする請求項１３記載の情報表示装置。
【請求項１５】
前記表示手段は、
前記情報提供サイトからの情報を、前記表示指示情報に含まれる表示位置情報で指定された表示部位に表示する
ことを特徴とする請求項１１乃至請求項１４のいずれか１項記載の情報表示装置。
【請求項１６】
前記第２情報取得手段は、
前記情報提供サイトからの情報と併せて、当該情報の更新情報を取得し、
前記表示手段は、
前記情報提供サイトからの情報と併せて、対応する前記更新情報を表示する
ことを特徴とする請求項１１乃至請求項１５のいずれか１項記載の情報表示装置。
【発明の詳細な説明】
【技術分野】
【０００１】
本発明は、ウィジェットを用いた情報表示システム及び情報表示装置に関する。
【背景技術】
【０００２】
パソコンの普及とＩＴネットワーク社会の浸透に応じ、近年、パソコンにおけるアプリケーションソフトやデスクトップ上で動作する小規模なソフトウェア（アクセサリーソフトや単機能プログラム等）が提唱されている（例えば、特許文献１参照）。このような小規模ソフトウェアは、ウィジェット、あるいはガジェット（以下単に、「ウィジェット」という）と称されている。一般に、ウィジェットは、特定のランタイム環境で実行されるものであり、時計やカレンダー、辞書、電卓、気象情報等の機能をもつものが既に知られている。
【０００３】
【特許文献１】特開２００７−２５１９２０号公報
【発明の開示】
【発明が解決しようとする課題】
【０００４】
例えば上記のようなウィジェットをパソコンのデスクトップ上で動作させる場合には、通常のアプリケーションソフトウェアと異なり、メニュー間の階層的な移動をすることなく、１つの画面で簡便に他のウィジェットを実行することができる。この結果、操作の負担や待ち時間を低減し、操作者の利便性を向上することができる効果がある。
【０００５】
一方、近年、小型の無線タグとリーダ（読み取り装置）／ライタ（書き込み装置）との間で非接触で情報の読み取り／書き込みを行うＲＦＩＤ（Radio  Frequency  Identification）システムが普及しつつある。このＲＦＩＤシステムを用い、例えば、無線タグに記憶された所定の情報提供サイトの格納先（ＵＲＬ情報）をリーダで読み取って当該サイトにアクセスし、対応する情報を取得して表示する技術が既に提唱されている。また、無線タグに記憶された種々のアプリケーションソフトウェアをリーダで読み取って端末側に取り込む技術も既に提唱されている。
【０００６】
上記のアプリケーションソフトウェアと同様、ウィジェットについても無線タグに記憶させるようにすれば、所望の相手に対しその無線タグを渡すことでウィジェットを簡単に配布することができるが、そのような技術は従来存在しなかった。また、情報提供サイトの格納先を無線タグに書き込んでおき、これを読み出して情報提供サイトに直接アクセスする場合、サイトの情報変更や情報更新が行われた場合に最新の情報を取得できないおそれがあった。
【０００７】
本発明の目的は、サイトの情報変更や情報更新が行われた場合でも、所望の情報提供サイトの最新情報を簡便な操作で確実に表示させることができる情報表示システム及び情報表示装置を提供することにある。
【課題を解決するための手段】
【０００８】
上記目的を達成するために、第１の発明は、情報を記憶可能なＩＣ回路部とこのＩＣ回路部に接続されるタグアンテナとを備えた無線タグ回路素子を有し、前記ＩＣ回路部に、所定の情報提供サイトに関わるＲＳＳデータの格納先情報と、前記情報提供サイトで提供される情報に関し所定の表示処理を行うためのウィジェットプログラムと、前記ウィジェットプログラムにより行う前記表示処理に関する表示指示情報とを記憶保持したウィジェット表示用無線タグと、前記ウィジェット表示用無線タグと無線通信を行うためのアンテナ手段と、前記アンテナ手段を介し、前記ウィジェット表示用無線タグの前記ＩＣ回路部から、前記格納先情報、前記ウィジェットプログラム、及び前記表示指示情報を取得するタグ読み取り手段と、前記タグ読み取り手段で取得した前記格納先情報より前記ＲＳＳデータを取得し、その取得した前記ＲＳＳデータに基づく、前記情報提供サイトで提供される情報を取得する第１情報取得手段と、前記タグ読み取り手段で取得した前記ウィジェットプログラムを用いて、前記第１情報取得手段で取得した前記情報提供サイトからの情報を、前記タグ読み取り手段で取得した前記表示指示情報で指示された表示態様にて表示手段に表示させるための表示処理手段とを有することを特徴とする。
【０００９】
本願第１発明においては、ＲＳＳデータの格納先情報とウィジェットプログラムと表示指示情報とがウィジェット表示用無線タグのＩＣ回路部に記憶されている。アンテナ手段を介しタグ読み取り手段がＩＣ回路部からＲＳＳデータの格納先情報を読み取ると、第１情報取得手段がその格納先よりＲＳＳデータを取得し、それに基づく情報提供サイトの情報を取得する。一方、タグ読み取り手段はまた、アンテナ手段を介しウィジェットプログラム及び表示指示情報をウィジェット表示用無線タグのＩＣ回路部から取得する。表示処理手段は、取得したウィジェットプログラムを用いて、上記情報提供サイトからの情報を表示手段に表示させる。そのとき表示処理手段は、表示手段に対し、取得した表示指示情報に対応した表示態様となるように制御する。
【００１０】
以上のようにして、使用者は、アンテナ手段によりウィジェット表示用無線タグに情報読み取りを行うだけで、自動的に、所望の情報提供サイトの情報を表示手段に表示させることができる。このとき、表示態様が表示指示情報に基づいて自動的に制御されることにより、表現の幅を広げることができ、例えば情報提供サイトの情報配信者の意図になるべく近いような態様による表示や、使用者のニーズや用途に応じた表示等も容易に実現可能となる。また、情報提供サイトの格納先を直接無線タグに書き込んでおくのではなく、当該サイトのＲＳＳデータの格納先を書き込んでおき、無線タグへの情報読み取りによって上記ＲＳＳデータへアクセスするようにする。これにより、情報提供サイトの格納先に直接アクセスする場合と異なり、サイトの情報変更や情報更新が行われた場合でも当該情報提供サイトに確実にアクセスし、最新の情報を取得して表示することができる。
【００１１】
第２発明は、上記第１発明において、前記第１情報取得手段は、前記タグ読み取り手段で取得した前記格納先情報より前記ＲＳＳデータを取得し、その取得した前記ＲＳＳデータに基づき前記情報提供サイトにアクセスし、前記情報提供サイトで提供される情報を取得することを特徴とする。
【００１２】
アンテナ手段を介しタグ読み取り手段がＩＣ回路部からＲＳＳデータの格納先情報を読み取ると、第１情報取得手段がその格納先よりＲＳＳデータを取得し、さらにそれに基づき情報提供サイトにアクセスすることで、サイトから情報を取得することができる。
【００１３】
第３発明は、上記第１又は第２発明において、前記表示処理手段は、前記表示指示情報での指示に応じ、複数種類の異なる表示態様にて表示するように、前記表示手段を制御することを特徴とする。
【００１４】
表示手段で複数種類の表示態様を可能とすることで、表現の幅を確実に広げることができる。
【００１５】
第４発明は、上記第３発明において、前記ウィジェット表示用無線タグは、１つ以上の前記情報提供サイトに関わる１つ以上の前記ＲＳＳデータの格納先情報を前記ＩＣ回路部に記憶しており、前記第１情報取得手段は、前記タグ読み取り手段で取得した前記１つ以上の格納先情報より前記ＲＳＳデータを取得し、その取得した前記ＲＳＳデータに基づき１つ以上の前記情報提供サイトにアクセスし、各情報提供サイトで提供される情報をそれぞれ取得することを特徴とする。
【００１６】
これにより、１つのウィジェット表示用無線タグを用いて、１つ又は複数のＲＳＳデータを介し１つ又は複数の情報提供サイトの情報を表示させる（１つのＲＳＳデータに複数の情報提供サイトが対応する場合、複数のＲＳＳデータに１つの情報提供サイトが対応する場合を含む）ことができる。この結果、各サイトごとに１つずつ無線タグが必要な場合に比べ、使用者の利便性が向上する。また、各ＲＳＳデータごと（言い換えれば各情報提供サイトごと）に表示態様を変えることも可能となる。
【００１７】
第５発明は、上記第４発明において、前記ウィジェット表示用無線タグは、１つ以上の前記ウィジェットプログラムを前記ＩＣ回路部に記憶しており、前記表示処理手段は、前記タグ読み取り手段で取得した前記１つ以上のウィジェットプログラムを用いて、前記第１情報取得手段でそれぞれ取得した１つ以上の前記情報提供サイトからの情報を、前記表示手段に表示させることを特徴とする。
【００１８】
これにより、１つのウィジェット表示用無線タグを用いて、１つ又は複数のウィジェットプログラムを用いて情報提供サイトの情報を表示させる（１つのウィジェットプログラムに複数のＲＳＳデータや情報提供サイトが対応する場合、複数のウィジェットプログラムに１つのＲＳＳデータや情報提供サイトが対応する場合を含む）ことができ、さらに使用者の利便性が向上する。また、複数のＲＳＳデータのそれぞれごと（言い換えれば各情報提供サイトごと）に使用するウィジェットプログラムを変えることも可能となり、それぞれ１つずつ別々に無線タグを用意しなければならない場合に比べて、使用者の利便性を向上することができる。
【００１９】
第６発明は、上記第５発明において、前記表示処理手段は、前記１つ以上の情報提供サイトのそれぞれと前記１つ以上のウィジェットプログラムのそれぞれとを対応付け、各情報提供サイトからの情報を対応する前記ウィジェットプログラムを用いて前記表示手段に表示させることを特徴とする。
【００２０】
これにより、１つ又は複数の情報提供サイトそれぞれに対して使用するウィジェットプログラムを変えて、サイトから提供される情報に最も適した表示内容を確実に実現することができる。
【００２１】
第７発明は、上記第６発明において、前記ウィジェット表示用無線タグは、１種類以上の前記表示態様を含む前記表示指示情報を前記ＩＣ回路部に記憶しており、前記表示処理手段は、前記１つ以上の情報提供サイトのそれぞれと前記１つ以上のウィジェットプログラムのそれぞれと前記１種類以上の表示態様とを対応付け、各情報提供サイトからの情報を、対応する前記ウィジェットプログラムを用いて対応する表示態様にて前記表示手段に表示させることを特徴とする。
【００２２】
これにより、１つ又は複数の情報提供サイトそれぞれに対して使用するウィジェットプログラム及び表示態様を変えて、サイトから提供される情報に最も適した表示内容を確実に実現することができる。
【００２３】
第８発明は、上記第４乃至第７発明のいずれかにおいて、前記ウィジェット表示用無線タグは、前記表示指示情報として、少なくとも、前記表示手段における表示部位を指定する表示位置情報を前記ＩＣ回路部に記憶しており、前記表示処理手段は、前記情報提供サイトからの情報を、前記表示位置情報で指定された表示部位に表示するよう、前記表示手段を制御することを特徴とする。
【００２４】
これにより、例えば情報提供サイトの情報配信者の意図になるべく近いような表示部位での表示や、使用者のニーズや用途に応じた最適な部位での表示等を確実に行うことができる。
【００２５】
第９発明は、上記第４乃至第８発明のいずれかにおいて、前記第１情報取得手段は、前記情報提供サイトからの情報と併せて、当該情報の更新情報を取得し、前記表示処理手段は、前記情報提供サイトからの情報と併せて、対応する前記更新情報を表示するよう、前記表示手段を制御することを特徴とする。
【００２６】
これにより、情報提供サイトからの情報を表示するとき、その情報の最終更新日時等を併せて表示することができ、使用者の利便性を向上することができる。
【００２７】
上記目的を達成するために、第１０発明は、ウィジェット表示用無線タグから無線通信を介し取得された、所定の情報提供サイトに関わるＲＳＳデータの格納先情報に基づき、前記ＲＳＳデータにアクセスし、対応する前記情報提供サイトの格納先情報を取得するＲＳＳデータ取得手段と、前記ＲＳＳデータ取得手段で取得した前記情報提供サイトの前記格納先情報に基づき前記情報提供サイトにアクセスし、前記情報提供サイトで提供される情報を取得する第２情報取得手段と、前記ウィジェット表示用無線タグから無線通信を介し取得されたウィジェットプログラムを用いて、前記第２情報取得手段で取得した前記情報提供サイトからの情報を、前記ウィジェット表示用無線タグから無線通信を介し取得された表示指示情報で指示された表示態様（固定的な場合を含む）にて表示する表示手段とを有することを特徴とする。
【００２８】
本願第１０発明においては、ＲＳＳデータの格納先情報とウィジェットプログラムと表示指示情報とがウィジェット表示用無線タグに記憶されている。ウィジェット表示用無線タグから無線タグ読み取り装置等によりＲＳＳデータの格納先情報が読み取られると、これに対応して、ＲＳＳデータ取得手段がその格納先のＲＳＳデータにアクセスし、情報提供サイトの格納先情報を取得する。そして、第２情報取得手段が、その格納先情報に基づき情報提供サイトにアクセスしてサイトから情報を取得する。一方、ウィジェット表示用線タグから無線タグ読み取り装置等によりウィジェットプログラム及び表示指示情報が読み取られると、これに対応して表示手段が、取得したウィジェットプログラムを用いかつ取得した表示指示情報に対応した表示態様で、上記情報提供サイトからの情報を表示する。
【００２９】
以上のようにして、使用者は、ウィジェット表示用無線タグを無線タグ読み取り装置等に読み取らせるだけで、自動的に、所望の情報提供サイトの情報を表示手段に表示させることができる。このとき、表示態様が表示指示情報に基づいて自動的に制御されることにより、表現の幅を広げることができ、例えば情報提供サイトの情報配信者の意図になるべく近いような態様による表示や、使用者のニーズや用途に応じた表示等も容易に実現可能となる。また、情報提供サイトの格納先を直接無線タグに書き込んでおくのではなく、当該サイトのＲＳＳデータの格納先を書き込んでおき、無線タグへの情報読み取りによって上記ＲＳＳデータへアクセスするようにする。これにより、情報提供サイトの格納先に直接アクセスする場合と異なり、サイトの情報変更や情報更新が行われた場合でも当該情報提供サイトに確実にアクセスし、最新の情報を取得して表示することができる。
【００３０】
第１１発明は、上記第１０発明において、前記ＲＳＳデータ取得手段は、前記ウィジェット表示用無線タグから取得した、１つ以上の前記情報提供サイトに関わる１つ以上の前記ＲＳＳデータの格納先情報に基づき、１つ以上の前記ＲＳＳデータにそれぞれアクセスし、対応する１つ以上の前記情報提供サイトの格納先情報をそれぞれ取得し、前記第２情報取得手段は、前記ＲＳＳデータ取得手段で格納先情報をそれぞれ取得した前記１つ以上の前記情報提供サイトにアクセスし、各情報提供サイトで提供される情報をそれぞれ取得することを特徴とする。
【００３１】
これにより、１つのウィジェット表示用無線タグへの読み取りによって、１つ又は複数のＲＳＳデータを介し１つ又は複数の情報提供サイトの情報を表示させることができる。この結果、各サイトごとに１つずつ無線タグを読ませなければならない場合に比べ、使用者の利便性が向上する。また、各ＲＳＳデータごと（言い換えれば各情報提供サイトごと）に表示態様を変えることも可能となる。
【００３２】
第１２発明は、上記第１１発明において、前記表示手段は、前記ウィジェット表示用無線タグから取得された前記１つ以上の前記ウィジェットプログラムを用いて、前記第２情報取得手段でそれぞれ取得した前記１つ以上の前記情報提供サイトからの情報を、表示することを特徴とする。
【００３３】
これにより、１つのウィジェット表示用無線タグへの読み取りによって、１つ又は複数のウィジェットプログラムを用いて情報提供サイトの情報を表示させることができ、さらに使用者の利便性が向上する。また、１つ又は複数のＲＳＳデータのそれぞれごと（言い換えれば各情報提供サイトごと）に使用するウィジェットプログラムを変えることも可能となり、それぞれ１つずつ別々に無線タグを読ませなければならない場合に比べて、使用者の利便性を向上することができる。
【００３４】
第１３発明は、上記第１２発明において、前記表示手段は、前記１つ以上の前記情報提供サイトのそれぞれと前記１つ以上のウィジェットプログラムのそれぞれとを対応付け、各情報提供サイトからの情報を対応する前記ウィジェットプログラムを用いて表示することを特徴とする。
【００３５】
これにより、１つ又は複数の情報提供サイトそれぞれに対して使用するウィジェットプログラムを変えて、サイトから提供される情報に最も適した表示内容を確実に実現することができる。
【００３６】
第１４発明は、上記第１３発明において、前記表示手段は、前記１つ以上の情報提供サイトのそれぞれと、前記１つ以上のウィジェットプログラムのそれぞれと、前記表示指示情報での指示に含まれる１種類以上の前記表示態様とを対応付け、各情報提供サイトからの情報を、対応する前記ウィジェットプログラムを用いて対応する表示態様にて表示することを特徴とする。
【００３７】
これにより、１つ又は複数の情報提供サイトそれぞれに対して使用するウィジェットプログラム及び表示態様を変えて、サイトから提供される情報に最も適した表示内容を確実に実現することができる。
【００３８】
第１５発明は、上記第１１乃至第１４発明のいずれかにおいて、前記表示手段は、前記情報提供サイトからの情報を、前記表示指示情報に含まれる表示位置情報で指定された表示部位に表示することを特徴とする。
【００３９】
これにより、例えば情報提供サイトの情報配信者の意図になるべく近いような表示部位での表示や、使用者のニーズや用途に応じた最適な部位での表示等を確実に行うことができる。
【００４０】
第１６発明は、上記第１１乃至第１５発明のいずれかにおいて、前記第２情報取得手段は、前記情報提供サイトからの情報と併せて、当該情報の更新情報を取得し、前記表示手段は、前記情報提供サイトからの情報と併せて、対応する前記更新情報を表示することを特徴とする。
【００４１】
これにより、情報提供サイトからの情報を表示するとき、その情報の最終更新日時等を併せて表示することができ、使用者の利便性を向上することができる。
【発明の効果】
【００４２】
本発明によれば、サイトの情報変更や情報更新が行われた場合でも、所望の情報提供サイトの最新情報を簡便な操作で確実に表示させることができる。
【発明を実施するための最良の形態】
【００４３】
以下、本発明の一実施の形態を図面を参照しつつ説明する。
【００４４】
図１は、本実施形態の情報表示装置を含む情報表示システム全体を表すシステム構成図である。
【００４５】
図１に示す情報表示システム１は、タグカード（ウィジェット表示用無線タグ）Ｔと、タグリーダ２００と、このタグリーダ２００と例えばＵＳＢケーブル等の接続手段３を介して接続され、表示部１０１及び操作部１０２等を有するＰＣ端末（又は汎用コンピュータ。以下、「ＰＣ」と記載；情報表示装置）１００とを備えている。
【００４６】
タグカードＴは、情報を記憶するＩＣ回路部１５０とこのＩＣ回路部１５０に接続されるタグ側アンテナ（タグアンテナ）１５１とを備えた無線タグ回路素子Ｔoを有している。タグリーダ２００は、タグカードＴから無線通信により情報の読み取りを行うためのリーダアンテナ（アンテナ手段）２１０（後述の図２参照）を有している。
【００４７】
ＰＣ１００は、例えばインターネット等の有線あるいは無線による通信ネットワーク５を介し、後述するＲＳＳデータを読み出し可能に格納保持するＲＳＳサーバ７に接続されている。また、このＲＳＳサーバ７及びＰＣ１００は、同じ通信ネットワーク５を介して、上記ＲＳＳデータに含まれる格納先情報（インターネットの場合におけるＵＲＬなど）に対応する情報提供サイトを管理する複数の情報提供サーバ６（インターネットの場合におけるＷＥＢサーバなど）にアクセス可能に接続されている（ＲＳＳデータ等の各種情報については後に詳しく説明する）。
【００４８】
図２は、上記情報表示システム１を構成するＰＣ１００及びタグリーダ２００の詳細機能を表す機能ブロック図である。
【００４９】
図２において、ＰＣ１００は、各種の入力画面や出力画面等の所定の表示を行うためのディスプレイ装置である上記表示部（表示手段）１０１と、使用者が操作入力を行うための適宜のボタン、キー、マウス等を備えた上記操作部１０２と、上記タグカードＴから読み取った各種情報や上記ＲＳＳサーバ７から取得したＲＳＳデータなどを記憶する記憶装置１０３と、上記タグリーダ２００との間で接続手段３を介して行われる通信の制御を行う通信制御部１０４と、これら表示部１０１、操作部１０２、記憶装置１０３及び通信制御部１０４を含むＰＣ１００全体の動作を制御する制御回路１０５とを有する。
【００５０】
タグリーダ２００は、上記タグカードＴに備えられる無線タグ回路素子Ｔoのタグ側アンテナ１５１との間で無線通信により信号の授受を行う上記リーダアンテナ２１０と、このリーダアンテナ２１０を介し上記無線タグ回路素子ＴoのＩＣ回路部１５０へアクセスする（この例では読み取りを行う）とともに、無線タグ回路素子Ｔoから読み出された信号を処理する高周波回路２０１と、高周波回路２０１を介し無線タグ回路素子ＴoのＩＣ回路部１５０から読み出された信号を処理して情報を読み出すとともに無線タグ回路素子ＴoのＩＣ回路部１５０へアクセスするためのアクセス情報を生成する機能を含み、タグリーダ２００全体の動作を制御する制御回路２０２と、使用者が操作可能な適宜のボタン、キー等を備えた操作部２０３と、上記ＰＣ１００との間で接続手段３を介して行われる通信の制御を行う通信制御部２０４とを有する。
【００５１】
図３は、上記タグカードＴに備えられた上記無線タグ回路素子Ｔoの機能的構成の一例を表すブロック図である。
【００５２】
図３において、無線タグ回路素子Ｔoは、上述したようにタグリーダ２００のリーダアンテナ２１０と非接触で信号の送受信を行う上記タグ側アンテナ１５１と、このタグ側アンテナ１５１に接続された上記ＩＣ回路部１５０とを有している。
【００５３】
ＩＣ回路部１５０は、タグ側アンテナ１５１により受信された質問波を整流する整流部１５２と、この整流部１５２により整流された質問波のエネルギを蓄積し駆動電源とするための電源部１５３と、上記タグ側アンテナ１５１により受信された質問波からクロック信号を抽出して制御部１５７に供給するクロック抽出部１５４と、所定の情報信号を記憶し得るメモリ部１５５と、上記タグ側アンテナ１５１に接続された変復調部１５６と、上記メモリ部１５５、クロック抽出部１５４、及び変復調部１５６等を介し上記無線タグ回路素子Ｔoの作動を制御するための上記制御部１５７とを備えている。
【００５４】
変復調部１５６は、タグ側アンテナ１５１により受信された上記タグリーダ２００のリーダアンテナ２１０からの通信信号の復調を行い、また、上記制御部１５７からの返信信号を変調し、タグ側アンテナ１５１より応答波（識別情報であるタグＩＤを含む信号）として送信する。
【００５５】
クロック抽出部１５４は受信した信号からクロック成分を抽出して制御部１５７にクロックを抽出するものであり、受信した信号のクロック成分の周波数に対応したクロックを制御部１５７に供給する。
【００５６】
制御部１５７は、上記変復調部１５６により復調された受信信号を解釈し、上記メモリ部１５５において記憶された情報信号に基づいて返信信号を生成し、この返信信号を上記変復調部１５６により上記タグ側アンテナ１５１から返信する制御等の基本的な制御を実行する。
【００５７】
図４は、タグカードＴが有する無線タグ回路素子ＴoのＩＣ回路部１５０の上記メモリ部１５５におけるデータ構成を示すメモリマップの一例を表す図である。
【００５８】
この図４に示す例では、無線タグ回路素子ＴoのＩＣ回路部１５０の上記メモリ部１５５における記憶空間には、デバイス予約領域と、ＲＳＳ領域と、パラメータ領域と、アプリケーション領域とが区分けされて設けられている。
【００５９】
デバイス予約領域は、無線タグ回路素子Ｔoの個体を識別するために一意的に定義されたタグＩＤ（ＵＩＤ）などが記録されてユーザーが自由に書き込むことができない記憶領域である。
【００６０】
ＲＳＳ領域は、後述するＲＳＳサイト（ＲＳＳデータを配信するサイト）の格納先情報（ＵＲＬ）を記憶する領域である。
【００６１】
パラメータ領域は、ＰＣ１００の表示部１０１において後述するウィジェットプログラムの表示ウィンドウの表示部位・位置（表示位置情報）、表示ウィンドウの大きさ、文字の色、背景の色、表示頻度などの表示に用いる各種の表示パラメータ（表示指示情報）を記憶する領域である。
【００６２】
アプリケーション領域は、上記ウィジェットプログラムの実行ファイル（又はその圧縮ファイル）を記憶する領域である。
【００６３】
なお、本実施形態で用いるタグカードＴは、所定の無線タグ情報通信装置（タグカード作成装置の機能を兼ねていてもよい）を用いて、あらかじめ上記デバイス予約領域以外の各記憶領域にそれぞれ適切な情報、パラメータ、及びプログラムファイルが書き込まれている。
【００６４】
ここで、本実施形態の情報表示システム１の最も大きな特徴は、ＰＣ１００が、タグリーダ２００を介してタグカードＴからＲＳＳサイトのＵＲＬ（格納先情報）を読み取り、そのＲＳＳサイトにアクセスしてＲＳＳデータを取得し、この取得したＲＳＳデータに含まれている所定の情報提供サイトのＵＲＬにアクセスすることにある。これにより、当該情報提供サイトで提供される情報（以下適宜、単にサイト情報という）が取得・表示され、また、タグカードＴに記憶されているウィジェットプログラムを用いて表示を行う。以下、その詳細を順次説明する。
【００６５】
図５は、本実施形態の情報表示システム１における主な情報の流れを概念的に説明する図である。
【００６６】
図５において、ＰＣ１００の制御回路１０５には、基本ＯＳ（オペレーティングシステム）と、タグリーダ２００を制御するためのタグリーダドライバ（プログラム群）とが備えられている。なお、この例では、後述するウィジェットプログラムを動作させるための命令セット（プログラム群）を含むウィジェットエンジンも備えられている（ウィジェットと同様に、タグカードＴから読み取るようにしてもよい）。
【００６７】
そして、ＰＣ１００の制御回路１０５は、上記タグリーダドライバを用い、タグリーダ２００を介してタグカードＴからＲＳＳサイトのＵＲＬを読み取る。このＲＳＳは、所定の情報提供サイトの更新情報（更新日時や各種書誌事項などを含む）などを配信、取得、表示するための仕組みである。本実施形態では、ＲＳＳサーバ７内で管理するＲＳＳサイトが、情報提供サイトとしての所定のニュースサイト（情報提供サーバ６内で管理）のＵＲＬをまとめてＲＳＳデータとして作成・記憶している。前述したように、タグカードＴの無線タグ回路素子Ｔoのメモリ部１５５におけるＲＳＳ領域には、このＲＳＳサイトのＵＲＬが記録されている。
【００６８】
またＰＣ１００の制御回路１０５は、上記タグリーダドライバを用い、タグリーダ２００を介してタグカードＴからウィジェットプログラム（この例では後述のようにニュースティッカーウィジェット）を読み取り、ＰＣ１００内にインストールする。なおこのとき、ウィルス完全を防止する観点から、ＰＣ１００でウィルスチェックをおこなってからタグカードＴからの読み取りを行うようにしたり、表示部１０１において“タグからプログラムを読込みますがよろしいですか”などの警告を表示するようにしたりしてもよい。これにより、ウィルスの感染を未然に防止することができる。前述したように、タグカードＴの無線タグ回路素子Ｔoのメモリ部１５５におけるアプリケーション領域には、ウィジェットプログラムファイルが記録されている。なおこのとき併せて、タグリーダ２００を介し、タグカードＴのメモリ部１５５のパラメータ領域から読み取った表示パラメータも取得する。
【００６９】
ここで、ウィジェットとは、特定のアプリケーション（又は基本ＯＳ内部で用意される上記ウィジェットエンジンに含まれている命令セット等）を利用することで実行可能な、簡易な態様のプログラムである（ガジェットと称されることもある）。典型的には、パソコンにおけるアプリケーションソフトやデスクトップ上で動作する小規模なソフトウェア（アクセサリーソフトや単機能プログラム等）である。このウィジェットプログラムは、マークアップ言語（例えば「ＸＭＬ」等）やスクリプト言語を用いて上記命令セットを呼び出すだけの簡易な記述ですむことから、プログラムファイルそのものの容量は非常に小さくできる。このため、タグカードＴの無線タグ回路素子Ｔoのメモリ部１５５（アプリケーション領域）に対し、そのまま容易に記録（もしくは圧縮したファイルを記録）可能である。
【００７０】
本実施形態においては、ニュースサイトにアクセスして表示するティッカー型ＲＳＳリーダのウィジェット（以下、ニュースティッカーウィジェットという）を例にとって説明する。ニュースティッカーウィジェットは、上記のようにしてタグリーダ２００を介し取得したＲＳＳサイトのＵＲＬに基づきＲＳＳサイトにアクセスしてＲＳＳデータを取得する。このとき、ニュースティッカーウィジェットが取得したＲＳＳデータには所定のニュースサイトのＵＲＬが記録されているため、表示している見出しに対応するニュースサイトのＷＥＢページをブラウザですぐに表示させることもできる。
【００７１】
そして、このＲＳＳデータに含まれている所定のニュースサイトのＵＲＬ（１つでもよいし、複数でもよい）を取得し、これらＵＲＬにそれぞれアクセスする。そして、各ニュースサイトの最新の見出し（例えば、最新のニューストピックスの要約や、文書内容の最初の所定数の文字列でもよい）と更新日時（更新日時情報）を取得し、ウィジェットエンジンの命令セットを利用して表示部１０１にテキスト表示する。この表示部１０１への表示を行う際には、上記表示パラメータに基づいた表示態様で表示する。なお、この例では、ニュースティッカーウィジェットは、同じウィジェットエンジンを利用して実行する他の複数のウィジェットと同時に表示・実行できるようになっている。
【００７２】
図６は、ニュースティッカーウィジェットのプログラム自体がすでにタグカードＴから読み取られ、記憶装置１０３にインストールされている状態において、そのニュースティッカーウィジェットに基づき、ＰＣ１００の制御回路１０５によって実行される制御手順を表すフローチャートである。上記のようにインストール済みのニュースティッカーウィジェットのプログラムが起動されると、このフローが開始される（ＳＴＡＲＴ位置）。
【００７３】
まず、ステップＳ５では、タグリーダ２００のリーダアンテナ２１０付近にタグカードＴの無線タグ回路素子Ｔoが配置されたことを検出するまでループ待機する。具体的には、無線タグ回路素子Ｔoの記憶した情報を取得するための質問波（例えば問い合わせ信号としてのタグＩＤ読み取り信号）を生成し、リーダアンテナ２１０を介し、対象の無線タグ回路素子Ｔoへ送信する。そして、無線タグ回路素子Ｔoが検出されたら（＝タグＩＤ読み取り信号に対してタグＩＤを含む応答信号がリーダアンテナ２１０を介し受信されたら）、ステップＳ１０へ移る。
【００７４】
次のステップＳ１０では、具体的には、無線タグ回路素子Ｔoの記憶した情報を取得するための質問波（例えば問い合わせ信号としての情報要求信号）を生成し、リーダアンテナ２１０を介し、対象の無線タグ回路素子Ｔoへ送信する。そして、この情報要求信号に対する上記無線タグ回路素子Ｔoからの応答信号から、上記メモリ部１５５に記憶されていた各情報（デバイス予約領域のタグ情報、ＲＳＳ）領域のＲＳＳサイトＵＲＬ、パラメータ領域の表示パラメータ等）を抽出し取得する。
【００７５】
次にステップＳ１００へ移り、上記ステップＳ１０で読み取ったＵＲＬが示すＲＳＳサイトからＲＳＳデータの取得と、そのＲＳＳデータに含まれるＵＲＬに対応する各ニュースサイトからサイト情報の取得とを行う、ウィジェット使用データ取得処理を実行する（詳細は後述の図７参照）。
【００７６】
次にステップＳ２０へ移り、上記ステップＳ１００のウィジェット使用データ取得処理において、ＲＳＳデータ及び各ニュースサイトのサイト情報等の取得（及び正常な解析）に成功したか否かを判定する。これらデータの取得に成功した場合、判定が満たされ、次のステップＳ３０へ移る。一方、データの取得（又はその解析）に失敗した場合、判定が満たされず、後述のステップＳ５０へ移る。
【００７７】
ステップＳ３０では、上記ステップＳ１０で取得された情報に、メモリ部１５５のパラメータ領域から読み取られた表示パラメータが含まれるか否かを判定する。表示パラメータが含まれていた場合、判定が満たされ、ステップＳ２００へ移る。
【００７８】
ステップＳ２００では、上記取得した当該表示パラメータに基づく表示態様で上記ステップＳ１００で取得したＲＳＳデータに対応したサイト情報を表示部１０１に表示する、カスタマイズ表示処理を行う（詳細は後述の図８参照）。そしてステップＳ５０へ移る。
【００７９】
また一方、上記ステップＳ３０において、表示パラメータが含まれていなかった場合、判定が満たされず、ステップＳ４０へ移る。ステップＳ４０では、通常（予め固定的に）設定されている表示態様で、上記ステップＳ１００で取得したサイト情報を表示部１０１に表示し、ステップＳ５０へ移る。
【００８０】
ステップＳ５０では、操作部１０２を介して所定の終了操作が入力されたか否かを判定する。終了操作が入力されていない場合は判定が満たされず、ステップＳ５に戻り同様の手順を繰り返す。終了操作が入力されている場合は判定が満たされ、このフローを終了する。
【００８１】
図７は、図６中のステップＳ１００のウィジェット使用データ取得処理の詳細手順を表すフローチャートである。
【００８２】
図７において、まずステップＳ１１０で、上記ステップＳ１０で読み取った情報に、メモリ部１５５のＲＳＳ領域から読み取られたデータ（つまりＲＳＳサイトのＵＲＬ）が含まれているか否かを判定する。該当するデータ、つまりＲＳＳサイトのＵＲＬが含まれている場合、判定が満たされ、ステップＳ１２０へ移る。
【００８３】
ステップＳ１２０では、上記通信ネットワーク５を介して当該ＵＲＬを格納したＲＳＳサーバ７へアクセスし、そこで保存されているＲＳＳデータ（この例ではニュースサイトのＵＲＬをまとめたもの）の取得を図る。
【００８４】
次にステップＳ１３０へ移り、上記ステップＳ１２０の手順でＲＳＳデータの正常な取得に成功したか否かを判定する。ＲＳＳデータが正常に取得できている場合、判定が満たされ、次のステップＳ１４０へ移る。
【００８５】
ステップＳ１４０では、上記ステップＳ１２０で取得したＲＳＳデータの解析を行い、当該ＲＳＳデータから、所定のニュースサイトのＵＲＬを抽出し取得する。
【００８６】
次にステップＳ１５０へ移り、上記ステップＳ１４０の手順においてＲＳＳデータから全てのＵＲＬがそれぞれ正常に読み出せたか否か（＝各ニュースサイトのＵＲＬを正常に利用できるよう解析できたか否か）を判定する。ＲＳＳデータから全てのＵＲＬが正常に読み出せた場合、判定が満たされて、次のステップＳ１５３へ移る。
【００８７】
ステップＳ１５３では、上記通信ネットワーク５を介し、上記ステップＳ１５０で解析したＲＳＳデータに含まれている所定のニュースサイトのＵＲＬに対応した情報提供サーバ６へアクセスし、当該ＵＲＬのニュースサイトから最新見出しやその最新更新日時（更新情報）等の情報を取得する。
【００８８】
次にステップＳ１５７へ移り、上記ステップＳ１５３の手順で情報の正常な取得に成功したか否かを判定する。情報が正常に取得できている場合、判定が満たされ、すなわち結果的にウィジェット使用データの取得・解析に成功したものとみなされて、そのままこのフローを終了する。
【００８９】
一方、上記ステップＳ１１０の判定においてＲＳＳサイトのＵＲＬが読み取られていない場合、上記ステップＳ１３０の判定において上記ステップＳ１２０の手順で（通信障害など何らかの不調により）ＲＳＳデータが正常に取得できていなかった場合、上記ステップＳ１５０の判定においてステップＳ１４０の手順でＲＳＳデータが正常に解析できていなかった場合、上記ステップＳ１５７の判定において上記ステップＳ１５３の手順で（通信障害など何らかの不調によりサイトから情報が正常に取得できていなかった場合、それぞれ判定が満たされなくなる。そして、ウィジェット使用データの取得・解析に失敗したものとみなされてステップＳ１６０に移り、表示部１０１にその旨のエラー表示を行い、このフローを終了する。
【００９０】
図８は、図６中のステップＳ２００において実行されるカスタマイズ表示処理の詳細手順を表すフローチャートである。
【００９１】
図８において、まずステップＳ２１０で、上記ステップＳ１０で読み取った情報のうちメモリ部１５５のパラメータ領域から読み取られた表示パラメータを記憶装置１０３から取得する。
【００９２】
次にステップＳ２２０へ移り、ニュースティッカーウィジェットの各表示設定を上記ステップＳ２１０で取得した表示パラメータに基づいて設定する。
【００９３】
次にステップＳ２３０へ移り、上記ステップＳ２２０で設定した表示設定に従って、上記ステップＳ１００で取得した各ニュースサイトのサイト情報を表示部１０１に表示し、このフローを終了する。
【００９４】
なお、上記ステップＳ１５３の手順で取得したニュースサイトの更新情報（最新更新日時等）をこのステップＳ２３０の手順で併せて表示するようにしてもよい。これにより、情報提供サイトからのサイト情報を表示するとき、その情報の最終更新日時等を併せて表示することができ、使用者の利便性を向上することができる。
【００９５】
以上説明した図６〜図８の手順をウィジェットプログラムが実行することにより、使用者がタグカードＴをリーダに近づけるだけで、当該タグカードＴが備えている無線タグ回路素子Ｔoのメモリ部１５５のＲＳＳ領域に記録されているＵＲＬのＲＳＳサイトにアクセスして所定のニュースサイトのＵＲＬを取得し、さらにそのＵＲＬによって当該ニュースサイトにアクセスしてそのサイトの提供するサイト情報（ニュース見出し等）を取得し、メモリ部１５５のパラメータ領域に記録されている表示パラメータに従った表示態様で表示部１０１に表示させることができる。
【００９６】
以下においては、このようなニュースティッカーウィジェットの具体的な操作の手順と、それによる表示部１０１での表示例を図示しながら説明する。
【００９７】
まず、前述したように、ニュースティッカーウィジェットのプログラム自体を、タグカードＴの無線タグ回路素子Ｔoのメモリ部１５５にけるアプリケーション領域から読み取ってＰＣ１００にインストールする必要がある。この際には、例えば、図９に示すように、タグリーダ制御用のアプリケーション（タグリーダドライバを使用）を利用してメモリ部１５５のアプリケーション領域からウィジェットプログラムのファイルを読み取り、ＰＣ１００にインストールする。
【００９８】
そして、このインストールしたニュースティッカーウィジェットのプログラムを起動する。なお、このウィジェットプログラムを起動する場合、例えばウィジェットエンジンを有効に作動可能な状態にする必要がある。なお、ウィジェットエンジンがあらかじめ基本ＯＳに組み込まれている場合はウィジェットエンジンの起動操作は特に必要ない。
【００９９】
そして、ニュースティッカーウィジェットを起動している状態で、タグカードＴをタグリーダ２００のリーダアンテナ２１０付近に位置させる。これにより、自動的にタグカードＴの無線タグ回路素子Ｔoのメモリ部１５５の各領域に記憶されている情報が読み取られる。そのうちメモリ部１５５のＲＳＳ領域から読み取ったＵＲＬに基づいてＲＳＳサイトにアクセスし、そこから取得したＲＳＳデータに含まれているＵＲＬから各ニュースサイトにアクセスし、そしてそれらニュースサイトからサイト情報が取得される。
【０１００】
こうして取得されたサイト情報は、図１０に示すようにウィンドウＷ内に表示される。このとき、メモリ部１５５のパラメータ領域から読み取った表示パラメータに従った表示がなされる。図示の例では、上記表示パラメータに従い、表示部１０１の画面下方側（＝表示部位）で左右全幅に渡って文字列１行分の高さのウィンドウＷが表示されている。そして、その中の左側端部にＲＳＳサイトの名前である「経済ニュース」が表示され、それより右側のほとんどの部分でニュースサイトの概要トピックや最初の文字列等の見出しが横スクロール移動しながら表示される。なお、各見出しに更新情報としての最新更新日時を併記したり、特にその最新更新日時が比較的最近である場合にはその旨を示す「Ｎｅｗ」などの文字を併記するようにしてもよい。
【０１０１】
そしてウィンドウＷ内に表示する見出しの表示部分は、それぞれ対応するＵＲＬとリンクしており（いわゆるＧＵＩ環境でのハイパーショートカット）、それら見出しの指定と実行操作を行うことにより直接対応するサイトへアクセスして自動的にブラウザなどでＷＥＢページＢとして完全に表示することができる（図１１参照）。このようにして、使用者は所定のニュースサイトを初めから全てブラウザで表示せずとも、それらの更新状況や最新サイト情報の概要を容易に一覧することができ、そのうちの必要と思われるものだけをすぐにブラウザで完全に表示させて効率のよい情報の検出・閲覧を行うことができる。
【０１０２】
以上において、上記図６のフローにおけるステップＳ１０の手順が、タグ読み取り手段として機能する。また、上記図７のフローにおけるステップＳ１２０、ステップＳ１４０、及びステップＳ１５３の手順が、第１情報取得手段として機能し、このうちのステップＳ１２０とステップＳ１４０の手順が、ＲＳＳデータ取得手段として機能し、ステップＳ１５３の手順が第２情報取得手段として機能する。また、上記図８のフローにおけるステップＳ２３０の手順が表示処理手段として機能する。
【０１０３】
以上のように構成した本実施形態においては、ＲＳＳデータを格納しているＲＳＳサイトのＵＲＬとウィジェットプログラムと表示パラメータとがタグカードＴの無線タグ回路素子ＴoのＩＣ回路部１５１に記憶されている。これらはいずれもタグリーダ２００のリーダアンテナ２１０を介して読み取られる。例えば、ＩＣ回路部１５１から先にウィジェットプログラムが読み取られた（そしてさらにインストールされた）状態で、ＩＣ回路部１５１からＲＳＳサイトのＵＲＬが読み取られる（ステップＳ１０参照）。すると、そのＵＲＬからＲＳＳデータが取得され（ステップＳ１２０、ステップＳ１４０参照）、さらにそのＲＳＳデータに含まれているＵＲＬに基づき所定のニュースサイトにアクセスされてサイト情報が取得される（ステップＳ１５３）。こうして取得したニュースサイトからのサイト情報は、ステップＳ２１０で取得された表示パラメータに対応した表示態様で表示部１０１に表示される（ステップＳ２３０）。
【０１０４】
以上のようにして、使用者は、リーダアンテナ２１０によりタグカードＴに情報読み取りを行うだけで、自動的に、所望のニュースサイトで提供されるサイト情報を表示部１０１に表示させることができる。このとき、その表示態様は表示パラメータに基づいて自動的に制御されるので、表現の幅を広げることができる。この結果、例えばニュースサイトの情報配信者の意図になるべく近いような態様による表示や、使用者のニーズや用途に応じた表示（前述のように最下段に表示する等）を容易に実現することができる。また、前述したように、ニュースサイトのＵＲＬを直接タグカードＴに書き込んでおくのではなく、当該サイトのＵＲＬを含むＲＳＳデータのＵＲＬを書き込んでおき、タグカードＴへの情報読み取りによって上記ＲＳＳデータへアクセスするようにしている。これにより、ニュースサイトのＵＲＬに直接アクセスする場合と異なり、ニュースサイトの情報変更や情報更新が行われた場合でも当該ニュースサイトに確実にアクセスし、最新の情報を取得して表示することができる。
【０１０５】
また、本実施形態では特に、ステップＳ２３０において、複数種類の異なる表示態様（この例ではスクロールにより場所が移動することによる複数箇所表示）にて表示を行うので、表現の幅をさらに確実に広げることができる。
【０１０６】
なお、上記実施形態では、１つのタグカードＴの無線タグ回路素子Ｔoのメモリ部１５５においてＲＳＳ領域にＲＳＳデータの取得先であるＲＳＳサイトのＵＲＬを１つだけ記録させている例を示したが、これに限られない。例えば、複数のＲＳＳサイトのそれぞれのＵＲＬをメモリ部１５５のＲＳＳ領域に記録しておき、上記図６のフローにおけるステップＳ１０の手順でそれら複数のＲＳＳサイトのＵＲＬを読み出し、上記図７のフローにおけるステップＳ１２０、ステップＳ１４０、及びステップＳ１５３の手順で各ＲＳＳサイトからＲＳＳデータを取得してそれらＲＳＳデータに含まれているＵＲＬのニュースサイトにアクセスしてそれぞれのサイト情報を取得・表示するようにしてもよい。このとき１つのＲＳＳデータに複数のＵＲＬを対応させたり、複数のＲＳＳデータに１つのＵＲＬを対応させることも可能である。いずれにしても、１つのタグカードＴを用いて、複数（又は１つ）のＲＳＳデータを介し複数（又は１つ）のニュースサイトのサイト情報を表示させることができる。この結果、各ＲＳＳサイトごとに１つずつタグカードＴが必要な場合に比べ、使用者の利便性が向上する。また、各ＲＳＳデータごと（各ＲＳＳサイトごと、もしくは各ニュースサイトごと）に表示態様を変えることも可能である。この場合、例えば図１２に示すように、ニュースティッカーウィジェットの方で複数のＲＳＳサイトを累積登録しておき、使用者が適宜選択切り替えできるようにしてもよい。
【０１０７】
また、上記実施形態では、一つのタグカードＴの無線タグ回路素子Ｔoのメモリ部１５５においてアプリケーション領域に一つのウィジェットプログラムだけ記録させている例を示したが、これに限られない。例えばメモリ部１５５のアプリケーション領域に複数のウィジェットプログラムを記録させておき、上記図６のフローにおけるステップＳ１０の手順でそれら複数のウィジェットプログラムを読み出し、上記図７のフローにおけるステップＳ１２０、ステップＳ１４０、及びステップＳ１５３の手順で各ＲＳＳサイトからＲＳＳデータを取得してそれらＲＳＳデータに含まれているＵＲＬのニュースサイトにアクセスしてそれぞれのサイト情報を取得し、上記図８のフローにおけるステップＳ２３０の手順で当該サイト情報を上記複数のウィジェットプログラムでそれぞれ表示するようにしてもよい。このとき、上記のようにＲＳＳデータ、ＵＲＬ、ウィジェットプログラムを１つずつ対応させるのではなく、１つのＲＳＳデータ、１つ（又は複数）のＵＲＬに複数のウィジェットプログラムを対応させたり、複数のＲＳＳデータ、１つ（又は複数）のＵＲＬに１つのウィジェットプログラムを対応させることも可能である。いずれの場合も、１つのタグカードＴを用いて、複数（又は１つ）のウィジェットプログラムを用いてニュースサイトのサイト情報を表示させることができ、さらに使用者の利便性が向上する。また、複数のＲＳＳデータのそれぞれごと（各ＲＳＳサイトごと、若しくは各ニュースサイトごと）に使用するウィジェットプログラムを変えることも可能となり、それぞれ１つずつ別々にタグカードＴを用意しなければならない場合に比べて、使用者の利便性を向上することができる。
【０１０８】
さらに、複数のニュースサイトのそれぞれと複数のウィジェットプログラムのそれぞれとを対応付け、上記図８のフローにおけるステップＳ２３０の手順で各ニュースサイトからのサイト情報を対応するウィジェットプログラムを用いて表示部１０１に表示させるようにしてもよい。これにより、複数のニュースサイトそれぞれに対して使用するウィジェットプログラムを変えて、サイトから提供されるサイト情報に最も適した表示内容を確実に実現することができる。例えば、ニュースサイトによっては（あるいはニュースサイト以外の音楽サイトなどでもよい）配信するサイト情報が文字列データではなく音声データや動画データで配信するサイトがある。一例として、図１３に示すように音声データをスピーカなどの所定の発音手段（不図示）によって発音させるウィジェットプログラムを利用し、それらニュースサイト等に適宜対応させて表現させるようにしてもよい。この場合にも音声（または動画）の最初の所定時間だけ（例えばイントロ部）を再生できるようにして、更新内容を効率よく確認できるようにしてもよい。
【０１０９】
さらに、一つのタグカードＴの無線タグ回路素子Ｔoのメモリ部１５５においてパラメータ領域に複数の表示態様を含む表示パラメータを記録させておき、複数のニュースサイトのそれぞれと複数のウィジェットプログラムのそれぞれと複数種類の表示態様とを対応付けるようにしてもよい。この場合、上記図８のフローにおけるステップＳ２３０の手順で各ニュースサイトからのサイト情報を、対応するウィジェットプログラムを用いて対応する表示態様にて表示部１０１に表示させるようにする。これにより、複数のニュースサイトそれぞれに対して使用するウィジェットプログラム及び表示態様を変えて、サイトから提供される情報に最も適した表示内容を確実に実現することができる。
【０１１０】
なお、本発明は、上記に限られるものではなく、その趣旨及び技術思想を逸脱しない範囲で種々の変形が可能である。例えば、上記実施形態では、ＲＳＳサイトからＲＳＳデータを受け取ったＰＣ１００のウィジェットプログラム自身がＲＳＳデータに含まれているＵＲＬで各ニュースサイトにアクセスし、それぞれのサイト情報を取得して表示していたが、これに限られない。すなわち、例えばＲＳＳサイトが所定時間毎に各ニュースサイトにアクセスしてサイト情報を更新管理し、ウィジェットプログラムはＲＳＳサイトから当該サイト情報を取得するようにしてもよい。
【０１１１】
図１４は、上記のような変形例の情報表示システムにおける主な情報の流れを概念的に説明する図であり、上記実施形態における図５に対応する図である。なお、上記実施形態と同等の部分については同じ符号を付して適宜説明を省略する。
【０１１２】
図１４において、本変形例では、ＲＳＳサーバ７内で管理するＲＳＳサイトは、上記実施形態と同様の情報提供サイト（所定のニュースサイト）のＵＲＬ及び当該サイトの最新更新日時に加え、新たに、当該ニュースサイトのサイト情報の一部（最新の見出し、トピックの概要など）についても、まとめてＲＳＳデータとして作成し記憶している。そしてこのＲＳＳサイトでは、所定時間毎（例えば１５分毎）に当該ニュースサイトにアクセスし、それらのデータを常に最新の状態に更新している。
【０１１３】
ＰＣ１００は、上記実施形態と同様、タグリーダ２００を介しタグカードＴからＲＳＳサイトのＵＲＬを読み取った後、ＲＳＳサイトにアクセスしてＲＳＳデータを取得する。上記したように、このＲＳＳデータにはサイト情報の一部（最新の見出し等）が含まれているため、そのＲＳＳデータに基づき、（サイトにアクセスすることなく）各ニュースサイトの最新の見出し等を（その更新日時とともに）そのまま表示部１０１に表示することができる。
【０１１４】
なお、上記実施形態と同様、ニュースティッカーウィジェットが取得した上記ＲＳＳデータにはニュースサイトのＵＲＬも含まれている。したがって、例えば上記のようにして表示された最新の見出し等を見た操作者がさらに詳細を知りたい場合には、（例えば表示された見出しに合わせてクリックする等の適宜の操作により）上記実施形態と同様、表示している見出しに対応するニュースサイトにアクセスすることで、当該ＷＥＢページの詳細を表示させることもできる。
【０１１５】
図１５は、本変形例においてＰＣ１００の制御回路１０５によって実行される制御手順のうち、前述のステップＳ１００（ウィジェット使用データ取得処理）の詳細手順を表すフローチャートであり、上記実施形態の図７に相当する図である。図１５のフローでは、各ニュースサイトのサイト情報の一部が、ＲＳＳサイトから取得したＲＳＳデータに既に含まれていることに対応し、図７における、ウィジェットプログラム自身で各ニュースサイトにアクセスしてサイト情報を取得するステップＳ１５３と、その成否を判定するステップＳ１５７とが省略されている。
【０１１６】
その他の制御手順は上記実施形態と同様であるので、説明を省略する。
【０１１７】
以上において、上記図７のフローにおけるステップＳ１２０及びステップＳ１４０の手順が、第１情報取得手段（ＲＳＳデータ取得手段及び第２情報取得手段）として機能する。以上のように構成した本変形例においても、上記実施形態と同様の効果が得られる。
【０１１８】
また、以上既に述べた以外にも、上記実施形態や変形例による手法を適宜組み合わせて利用しても良い。
【０１１９】
その他、一々例示はしないが、本発明は、その趣旨を逸脱しない範囲内において、種々の変更が加えられて実施されるものである。
【図面の簡単な説明】
【０１２０】
【図１】本発明の一実施形態の情報表示装置を含む情報表示システム全体を表すシステム構成図である。
【図２】情報表示システムを構成するＰＣ１００及びタグリーダの詳細機能を表す機能ブロック図である。
【図３】タグカードに備えられた無線タグ回路素子の機能的構成の一例を表すブロック図である。
【図４】タグカードが有する無線タグ回路素子のＩＣ回路部のメモリ部におけるデータ構成を示すメモリマップの一例を表す図である。
【図５】実施形態の情報表示システムにおける主な情報の流れを概念的に説明する図である。
【図６】ＰＣの制御回路によって実行されるニュースティッカーウィジェットの制御手順を表すフローチャートである。
【図７】図６中のステップＳ１００において実行されるウィジェット使用データ取得処理の詳細手順を表すフローチャートである。
【図８】図６中のステップＳ２００において実行されるカスタマイズ表示処理の詳細手順を表すフローチャートである。
【図９】タグカードからウィジェットプログラムを読み取ってインストールする操作とその表示例を示す図である。
【図１０】タグカードからＲＳＳサイトのＵＲＬを読み取り、ニュースティッカーウィジェットのウィンドウ内にサイト情報を表示させた際の表示例を示す図である。
【図１１】見出しからリンクして対応するニュースサイトのＷＥＢページを表示させた際の表示例を示す図である。
【図１２】ニュースティッカーウィジェットに複数のＲＳＳサイトを累積登録させた場合の表示例を示す図である。
【図１３】音声データを配信するニュースサイトに対応したウィジェットの表示例を示す図である。
【図１４】ＲＳＳサイトがサイト情報の更新管理を行う変形例において、主な情報の流れを概念的に説明する図である。
【図１５】ＲＳＳサイトがサイト情報の更新管理を行う変形例において、ウィジェット使用データ取得処理の詳細手順を表すフローチャートである。
【符号の説明】
【０１２１】
１                情報表示システム
５                通信ネットワーク
６                情報提供サーバ
７                ＲＳＳサーバ
１００            ＰＣ（情報表示装置）
１０１            表示部（表示手段）
１０２            操作部
１０３            記憶装置
１０５            制御回路
１５０            ＩＣ回路部
１５１            タグ側アンテナ（タグアンテナ）
２００            タグリーダ
２０１            高周波回路
２０２            制御回路
２０４            通信制御部
２１０            リーダアンテナ（アンテナ手段）
Ｔ                タグカード（ウィジェット表示用無線タグ）
Ｔo               無線タグ回路素子
【図１】
2009146163.tif 000003
【図２】
2009146163.tif 000004
【図３】
2009146163.tif 000005
【図４】
2009146163.tif 000006
【図５】
2009146163.tif 000007
【図６】
2009146163.tif 000008
【図７】
2009146163.tif 000009
【図８】
2009146163.tif 000010
【図９】
2009146163.tif 000011
【図１０】
2009146163.tif 000012
【図１１】
2009146163.tif 000013
【図１２】
2009146163.tif 000014
【図１３】
2009146163.tif 000015
【図１４】
2009146163.tif 000016
【図１５】
2009146163.tif 000017